(57)【要約】【課題】  開閉蓋を閉めて行う作業も、開けて行う作業も、何れもやり易く、効率的に行うことができる基板検査装置を提供する。【解決手段】  前面において開閉される開閉蓋５ａを備えた略箱状の装置本体１と、装置本体１内に搬入された基板Ｐを検査する検査機構３０と、装置本体１の外側に設けられて外部情報を入力する入力手段１５と、装置本体１の外側に設けられて検査結果を表示する表示手段１０とを備えた基板検査装置において、入力手段１５と表示手段１０とを含む入力・表示部３が、装置本体１の前方外側に所定範囲内で移動可能に設けられ、その所定範囲には、少なくとも入力・表示部３が開閉蓋５ａに近接した近接位置と、開閉蓋５ａから離れた退避位置とが含まれているように構成する。【選択図】      図４
2005216885.tif 000002
【特許請求の範囲】
【請求項１】
前面側において開閉される開閉蓋を備えた略箱状の装置本体と、該装置本体内に搬入された基板を検査する検査機構と、上記装置本体の外側に設けられて外部情報を入力する入力手段と、上記装置本体の外側に設けられて検査結果を表示する表示手段とを備えた基板検査装置において、
上記入力手段と上記表示手段とを含む入力・表示部が、上記装置本体の前方外側に所定範囲内で移動可能に設けられ、
上記所定範囲には、少なくとも上記入力・表示部が上記開閉蓋に近接した近接位置と、上記開閉蓋から離れた退避位置とが含まれていることを特徴とする基板検査装置。
【請求項２】
上記近接位置にある上記入力・表示部は、上記開閉蓋が開蓋状態にあるときの開口部に、平面視で接するか又は一部が入り込む位置まで近接するように構成されていることを特徴とする請求項１記載の基板検査装置。
【請求項３】
上記退避位置にある上記入力・表示部は、上記開閉蓋が開蓋状態にあるときの開口部に対し、正面視で半分以上乃至は全部が該開口部の外側に存在するように構成されていることを特徴とする請求項１または２記載の基板検査装置。
【請求項４】
上記入力・表示部は、上記装置本体の前方であって、かつ同装置本体の左右何れかの端部寄りに設けられる回動軸に支持されることにより水平面内で回動可能に設けられていることを特徴とする請求項１乃至３の何れか１項に記載の基板検査装置。
【請求項５】
上記近接位置は、上記表示部の表示面が前面に向く中立位置から上記入力・表示部を装置本体の中央寄りに回動させた位置であることを特徴とする請求項４記載の基板検査装置。
【請求項６】
上記退避位置は、上記表示部の表示面が前面に向く中立位置から上記入力・表示部を装置本体の中央側とは反対側寄りに回動させた位置であることを特徴とする請求項４または５記載の基板検査装置。
【発明の詳細な説明】
【技術分野】
【０００１】
本発明は、プリント基板等の検査に適用される基板検査装置に関するものであり、特に装置本体の前面において開閉される開閉蓋を備えたものに関する。
【背景技術】
【０００２】
従来より、下記特許文献１に開示されているような基板検査装置（図６参照）が知られている。この基板検査装置９０は、前面において開閉される開閉蓋９２を備えた略箱状の装置本体９５の内部に基板を搬入し、検査するように構成されている。装置本体９５の外側には、キーボード等の入力手段９３と、ディスプレイ装置９１が設けられている。
【０００３】
入力手段９３は、開閉蓋９２より手前側に張出した載置台９４に載置されている。またディスプレイ装置９１は、装置本体９５の上部に設けられている。
【０００４】
通常、作業者がこの基板検査装置９０に対面して行う作業として、開閉蓋９２を閉めて行う作業と開けて行う作業とがある。開閉蓋９２を閉めて行う作業には、例えば入力手段９３によって検査条件や各種パラメータを入力したり、ディスプレイ装置９１に表示された検査結果を確認したり、或いはその両方を同時に行ったりする作業がある。開閉蓋９２を開けて行う作業には、例えばディスプレイ装置９１に表示された検査結果を確認しつつ、実際に内部の基板を目視チェックしたり、それに応じて入力手段９３から対処情報を入力したりする作業がある。また、装置本体９５の内部の検査機構を保守点検するときにも開閉蓋９２を開いて行う。
【特許文献１】特開２００１−１５３６４２号公報
【発明の開示】
【発明が解決しようとする課題】
【０００５】
しかしながら上記基板検査装置９０は、開閉蓋９２を開けて行う作業において、支障をきたしたり、作業がやり難くなったりするという問題があった。
【０００６】
例えば、載置台９４が開閉蓋９２の手前に張出しているため、保守点検を行う際、作業者が開閉蓋９２の開口部に充分近づくことができず、作業がやり難くなっていた。また、開閉蓋９２は、通常上方へ跳ね上げて開蓋されるが、そうするとディスプレイ装置９１の表示面が開けた開閉蓋９２で隠れてしまう。従って、ディスプレイ装置９１に表示された検査結果を確認しつつ、実際に内部の基板を目視チェックすることが困難であった。これを解決するため、例えばディスプレイ装置９１を手前の載置台９４に載置することも考えられるが、そうすると別の新たな問題が発生する。即ち、作業者はディスプレイ装置９１よりも手前側に位置して作業する必要があるので、必然的に開閉蓋９２の開口部からある程度離れて作業しなければならなくなる。そうすると開口部から内部を覗き込むような動作をすることができず、またディスプレイ装置９１によって開口部の一部が隠れてしまい、目視チェックが困難になる。また入力手段９３だけでなくディスプレイ装置９１も載置台９４に載置すると、上記保守点検作業が一層やり難くなる。
【０００７】
本発明は、かかる点に鑑みてなされたものであり、その目的とするところは、上記開閉蓋を閉めて行う作業も、開けて行う作業も、何れもやり易く、効率的に行うことができる基板検査装置を提供することにある。
【課題を解決するための手段】
【０００８】
上記の目的を達成するため、本発明は、前面側において開閉される開閉蓋を備えた略箱状の装置本体と、該装置本体内に搬入された基板を検査する検査機構と、上記装置本体の外側に設けられて外部情報を入力する入力手段と、上記装置本体の外側に設けられて検査結果を表示する表示手段とを備えた基板検査装置において、上記入力手段と上記表示手段とを含む入力・表示部が、上記装置本体の前方外側に所定範囲内で移動可能に設けられ、上記所定範囲には、少なくとも上記入力・表示部が上記開閉蓋に近接した近接位置と、上記開閉蓋から離れた退避位置とが含まれていることを特徴とする。
【０００９】
このようにすると、表示部を開閉蓋よりも前方外側（作業者にとって手前側）に配しているので、表示部の表示が開いた開閉蓋に隠れることが確実に防止される。また開閉蓋を開けて行う作業のうち、作業者が入力や表示の確認に関与する作業、例えば表示手段に表示された検査結果を確認しつつ、実際に内部の基板を目視チェックしたり、それに応じて入力手段から対処情報を入力したりする作業を行う場合には、入力・表示部を近接位置に移動させて行うことにより、目視チェックがやり易くなり、効率的に作業を行うことができる。
【００１０】
また、開閉蓋を開けて行う作業のうち、作業者が入力や表示の確認に関与しない作業、例えば保守点検作業を行う場合には、入力・表示部を退避位置に移動させて行うことにより、作業者が開口部に充分近接して作業が行うことができ、また入力・表示部が作業の妨げになることもないので、効率的に作業を行うことができる。
【００１１】
近接位置として、上記近接位置にある上記入力・表示部は、上記開閉蓋が開蓋状態にあるときの開口部に、平面視で接するか又は一部が入り込む位置まで近接するようにすれば好ましい。
【００１２】
この程度まで入力・表示部を近接させれば、内部を覗き込むような目視チェックをしながらの作業も容易となる。
【００１３】
退避位置として、上記退避位置にある上記入力・表示部は、上記開閉蓋が開蓋状態にあるときの開口部に対し、正面視で半分以上乃至は全部が該開口部の外側に存在するようにすれば好ましい。
【００１４】
この程度まで入力・表示部を退避させれば、開口部前の作業スペースが充分確保されるので、保守点検作業を効率的に行うことができる。
【００１５】
上記のような構成を具体的に実現する構造として、上記入力・表示部は、上記装置本体の前方であって、かつ同装置本体の左右何れかの端部寄りに設けられる回動軸に支持されることにより水平面内で回動可能に設けると好ましい。
【００１６】
このようにすると、簡単な構造で近接位置と退避位置との移動が可能となる。また、回動角度を適宜調節することにより、近接位置と退避位置との間の中間位置を自在に設定することができる。
【００１７】
この場合、上記近接位置は、上記表示部の表示面が前面に向く中立位置から上記入力・表示部を装置本体の中央寄りに回動させた位置が好適であり、上記退避位置は、上記表示部の表示面が前面に向く中立位置から上記入力・表示部を装置本体の中央側とは反対側寄りに回動させた位置が好適である。
【発明の効果】
【００１８】
以上説明したように、本発明に係る基板検査装置によれば、入力・表示部が、装置本体の前方外側に所定範囲内で移動可能に設けられ、上記所定範囲には、少なくとも上記入力・表示部が上記開閉蓋に近接した近接位置と、上記開閉蓋から離れた退避位置とが含まれているように構成しているので、開閉蓋を閉めて行う作業も、開けて行う作業も、何れもやり易く、効率的に行うことができる。
【発明を実施するための最良の形態】
【００１９】
以下、本発明を実施するための最良の形態について図面を参照しながら詳細に説明する。
【００２０】
図１から図３はそれぞれ本実施形態に係る基板検査装置の外観を示している。図１は同検査装置の正面図であり、図２は同検査装置の側面図であり、図３は同検査装置の平面図である。検査装置の装置本体１は、支持脚７５上の基台の前面、上面、後面及び左右側面にそれぞれカバー５，６，７，８，９が被せられており、全体として略直方体の箱状に構成されるとともに、その上面における前部が傾斜した構成とされている。
【００２１】
上面カバー５の手前側は図２に示すように開閉自在の開閉蓋５ａとなっており、この開閉蓋５ａを開蓋することにより、開口部５ｂがあらわれ、検査対象としての例えばプリント基板Ｐ（以下、基板Ｐという）の検査機構３０（図４参照）が露出するようになっている。左右の側面カバー８，９には、矩形状の搬入口８ａ及び搬出口９ａがそれぞれ対応する位置に形成されている。このうち装置に向かって左側の側面カバー８に設けられた搬入口８ａは、基板Ｐを検査機構３０へ搬入するためのものであり、装置に向かって右側の側面カバー９に設けられた搬出口９ａは、基板Ｐを検査機構３０から外部へ搬出するためのものである。
【００２２】
前面カバー６の上端付近には、向かって左寄りに、装置本体１の前方外側（図２における右側）に張出したアーム２１が設けられ、アーム２１の先端に、回動軸２２を介して入力・表示部３が設けられている。入力・表示部３は、回動軸２２に支持された載置台２０と、その上に設けられた入力装置１５（入力手段）及びディスプレイ装置１０（表示手段）からなる。入力装置１５はキーボードやマウス等からなり、外部情報を入力する装置である。ディスプレイ装置１０は、その入力情報や検査結果を表示する装置である。入力・表示部３は、回動軸２２を中心に水平面内で約１６０度の範囲で回動させることができるようになっている。また、図外の回動フリクション機構により、任意の位置で停止させることができる。
【００２３】
ディスプレイ装置１０は、その表示面を回動円弧ｃ（図３）の外側に向けて載置されており、更にその外側に入力装置１５が載置されている。従ってディスプレイ装置１０の表示面に正対した作業者ｍは、その表示内容を確認しつつ入力作業を行うことができるようになっている。
【００２４】
装置本体１の内部に設けられた検査機構３０は公知の機構なので詳細な説明は省略するが、基板Ｐを搬入出させるコンベアと、前後方向（図４に示す上下方向）に移動可能なテーブル上に支持されたコンベアと、モータによりボールねじ等を介して上記テーブルを移動させる機構と、基板の上方で左右方向に移動可能な基板検査ヘッドと、モータによりボールねじ等を介して上記基板検査ヘッドを移動させる機構とを備えている。基板検査ヘッドには基板Ｐの所定の検査位置で撮像する撮像手段（ＣＣＤカメラ等）が備えられ、例えば基板Ｐに実装された電子部品等を撮像し、その状態（位置ズレ等）を検査する。また特に図示しないが、検査機構３０の各作動を制御するとともに、撮像された画像を処理し、検査を実行する制御装置も基板検査装置に内蔵されている。
【００２５】
次に、入力・表示部３の回動位置について詳細に説明する。上述のように入力・表示部３は、その可動範囲内で任意の位置に移動させ、停止させることができるが、代表的な位置として、中立位置、近接位置及び退避位置をとることができる。
【００２６】
図３に示す平面図は、入力・表示部３が中立位置にある状態を示している。中立位置では、ディスプレイ装置１０の表示面が前面を向いている。つまり装置本体１に正対した作業者ｍが、ディスプレイ装置１０の表示面にも正対する位置関係となる。
【００２７】
図４は、開閉蓋５ａを開蓋し、入力・表示部３を近接位置とした状態を示す平面図である。近接位置は、入力・表示部３を中立位置から内側（中立位置から平面視で左回り）に角度θ１だけ回動させた位置である。当実施形態ではθ１＝９０度である。図４に示すように、近接位置において、入力・表示部３はその一部が平面視で開口部５ｂに入り込む位置まで近接している。また、ディスプレイ装置１０に正対した作業者ｍが、そのすぐ体側に開口部５ｂから検査機構３０を目視することができる位置関係になっている。
【００２８】
図５は、開閉蓋５ａを開蓋し、入力・表示部３を退避位置とした状態を示す平面図である。退避位置は、入力・表示部３を中立位置から外側（中立位置から平面視で右回り）に角度θ２だけ回動させた位置である。当実施形態ではθ２＝４５度以上であり、最大でθ２＝７０度（二点鎖線で示す）まで退避させることができる。図５に示すように、退避位置において、入力・表示部３は、正面視で殆ど全部が開口部５ｂの外側に存在するような位置関係になっている。
【００２９】
次に、基板検査装置の作動について、主に作業者ｍが入力・表示部３と関与する作業を中心に説明する。まず検査に先立ち、作業者ｍが検査条件や各種パラメータ等を入力装置１５から入力する。この作業は、特に必要のない限り、開閉蓋５ａを閉じて行う。このときの入力・表示部３の位置は、作業者ｍが最もその作業を効率的に行うことができると判断する位置を選択（例えば中立位置）して行えば良い。
【００３０】
続いて検査機構３０による検査を実行する。具体的には、搬入口８ａから検査機構３０へ、検査対象の基板Ｐが搬入される。そして検査機構３０の撮像手段によって各検査位置での撮像がなされる。その画像は制御手段によって画像処理がなされ、実装された電子部品の位置ズレ等の検査が実行される。検査結果はディスプレイ装置１０に出力され、検査完了後、基板Ｐが搬出口９ａから搬出される。
【００３１】
検査中に異常が発見される等して、作業者による目視チェックが必要なときは、開閉蓋５ａを開蓋して行う。その際、図４に示すように入力・表示部３を近接位置に移動させ、作業者ｍが開口部５ｂに充分接近することにより、効率的に行うことができる。即ち、図４に示す近接位置では、作業者ｍはディスプレイ装置１０に表示された検査結果を確認しつつ、実際の基板Ｐを目視チェックすることが容易にできる。そして、その目視チェックに基づく対処情報を即座に入力装置１５から入力することができる。なお、図４に示す近接位置で開閉蓋５ａを開閉すると、開閉蓋５ａと入力・表示部３とが接触するので、開閉蓋５ａを開閉させるときにはその接触が起こらない位置に入力・表示部３を移動させて行う。
【００３２】
検査機構３０を保守点検する場合も、開閉蓋５ａを開蓋して行う。その際、図５に示すように入力・表示部３を退避位置に移動させて行うと好適である。即ち、作業者ｍは開口部５ｂに充分接近することができ、また作業者ｍの作業スペースも広く確保できるので作業がやり易く、効率的に保守点検作業を行うことができる。
【００３３】
なお、上述のような入力・表示部３の位置と各種作業との関係は、最も推奨する使用形態を述べたものであり、必ずしも限定するものではない。例えば、状況に応じて基板Ｐの目視チェックを中立位置で行ったり、保守点検作業を近接位置で行ったりしても良い。
【００３４】
以上、本発明の実施形態について説明したが、本発明はこれに限定するものではなく、特許請求の範囲内で適宜変形して良い。例えば、適宜モータ等を設けて入力・表示部３が自動的に回動するようにしても良い。
【００３５】
また入力・表示部３の移動は必ずしも回転移動に限定しない。適宜直線上又は曲線上を平行移動させたり、回転運動と平行移動とを組み合わせたり、或いは高さ方向も加えた三次元的移動をさせたりしても良い。
【図面の簡単な説明】
【００３６】
【図１】本発明の実施形態に係る基板検査装置の正面図である。
【図２】上記基板検査装置の側面図である。
【図３】上記基板検査装置の平面図であり、入力・表示部が中立位置にある状態を示す。
【図４】上記基板検査装置の開蓋時の平面図であり、入力・表示部が近接位置にある状態を示す。
【図５】上記基板検査装置の開蓋時の平面図であり、入力・表示部が退避位置にある状態を示す。
【図６】従来の基板検査装置を示す外観斜視図である。
【符号の説明】
【００３７】
１    装置本体
３    入力・表示部
５ａ    開閉蓋
５ｂ    開口部
１０    ディスプレイ装置（表示手段）
１５    入力装置（入力手段）
３０    検査機構
【図１】
2005216885.tif 000003
【図２】
2005216885.tif 000004
【図３】
2005216885.tif 000005
【図４】
2005216885.tif 000006
【図５】
2005216885.tif 000007
【図６】
2005216885.tif 000008